(57)【要約】【課題】簡単な構成にて、被検体内において対物レンズの視野方向を容易に直視方向から斜視方向に切り換え可能であるとともに、照明光出射部材から出射された照明光が対物レンズに入光してしまうことを確実に防ぐことができ、視野方向を切り換えても明るい視野を確保できる内視鏡用シースを提供する。【解決手段】シース本体２の先端に設けられたプリズム３０は、少なくとも対物レンズ１９ａの前面１９ａｓを覆う大きさに形成されているとともに、シース本体２の回動に伴い、前面１９ａｓを覆うとともに対物レンズ１９ａの視野範囲内に位置する第１の位置と、対物レンズ１９ａの視野範囲外に位置する第２の位置とに回動自在であり、プリズム３０は、該プリズム３０が第１の位置に回動された際、対物レンズ１９ａの視野方向を、照明用レンズ１７から被検体内に出射される照明光の光軸側に偏向させる。【選択図】図５
2014068676.tif 000002
【特許請求の範囲】
【請求項１】
被検体内に挿入される挿入部の挿入方向の先端に前記被検体内を観察する対物レンズと前記被検体内に照明光を出射する照明光出射部材とが設けられた内視鏡に対し着脱自在であって、装着後、前記挿入部の外周に回動自在に被覆されるシース本体を具備する内視鏡用シースであって、
前記シース本体の前記挿入方向の先端に設けられたプリズムは、前記シース本体が前記挿入部の外周に被覆された際、少なくとも前記対物レンズの前面を覆う大きさに形成されているとともに、前記シース本体の回動に伴い、前記対物レンズの前記前面を覆うとともに前記対物レンズの視野範囲内に位置する第１の位置と、前記対物レンズの視野範囲外に位置する第２の位置とに回動自在であり、
前記プリズムは、該プリズムが前記第１の位置に回動された際、前記対物レンズの視野方向を、前記照明光出射部材から前記被検体内に出射される前記照明光の光軸側に偏向させることを特徴とする内視鏡用シース。
【請求項２】
前記プリズムは、さらに前記対物レンズの前面とは別途に前記照明光出射部材の前面を覆う大きさに形成されており、
前記第２の位置は、前記プリズムが前記照明光出射部材の前記前面を覆う位置であることを特徴とする請求項１に記載の内視鏡用シース。
【請求項３】
前記プリズムは、該プリズムが前記第２の位置に回動された際、前記照明光の出射方向を前記対物レンズの光軸側に偏向させることを特徴とする請求項２に記載の内視鏡用シース。
【請求項４】
前記シース本体の前記先端に、前記プリズムとともに前記先端を塞ぐとともに、前記シース本体の回動に伴い前記プリズムとともに回動する平板レンズが設けられており、
前記平板レンズと前記プリズムとの境に遮光部材が設けられていることを特徴とする請求項１〜３のいずれか１項に記載の内視鏡用シース。
【請求項５】
前記シース本体の前記挿入方向の基端側の部位に、前記内視鏡の操作部に固定されることにより、前記挿入部に対して前記シース本体の前記挿入方向及び回動方向の位置を固定する内視鏡固定部が設けられており、
前記内視鏡固定部に設けられた前記シース本体の回動位置固定機構により、前記プリズムは前記第１の位置または前記第２の位置に位置決めされることを特徴とする請求項４に記載の内視鏡用シース。
【請求項６】
前記シース本体が前記挿入部の外周に被覆された際、前記挿入部の外周と前記シース本体の内周との間に、前記プリズムと前記対物レンズ及び前記照明光出射部材との間に液体を供給する液体供給路が形成されることを特徴とする請求項１〜５のいずれか１項に記載の内視鏡用シース。
【請求項７】
請求項１〜６のいずれか１項に記載の前記内視鏡用シースと、
前記内視鏡と、
を具備することを特徴とする内視鏡システム。
【発明の詳細な説明】
【技術分野】
【０００１】
本発明は、内視鏡に対し着脱自在であって、装着後、内視鏡の挿入部の外周に回動自在に被覆されるシース本体を具備する内視鏡用シース、内視鏡システムに関する。
【背景技術】
【０００２】
近年、内視鏡は、医療分野において広く利用されている。内視鏡は、細長い挿入部を被検体内に挿入することによって、被検体内を観察することができる。
【０００３】
また、内視鏡としては、挿入部の挿入方向の先端側（以下、単に先端側と称す）に設けられた先端部の先端面よりも挿入方向の前方（以下、単に前方と称す）の被検部位を観察する直視用の内視鏡や、先端面よりも斜め前方を観察する斜視用の内視鏡等が周知であり、直視用の内視鏡、斜視用の内視鏡は、被検体内における被検部位の位置により選択的に用いられる。尚、内視鏡によっては、例えば既知の腹腔鏡のように、操作部に対して、直視用の挿入部と斜視用の挿入部とが選択的に着脱自在な構成も周知である。
【０００４】
さらに、直視用の内視鏡、斜視用の内視鏡としては、挿入部が可撓性を有する軟性鏡や、挿入部が硬質な硬性鏡が周知であり、軟性鏡、硬性鏡は、被検体における挿入対象部位に応じて選択的に用いられる。
【０００５】
また、軟性鏡においては、挿入部において先端部よりも挿入方向の基端側（以下、単に基端側と称す）に複数方向に湾曲自在な湾曲部が設けられた構成が周知であり、湾曲部が湾曲操作されることにより、直視用の内視鏡であっても先端面よりも斜め前方を観察できる構成が周知である。
【０００６】
また、特許文献１には、直視用の内視鏡の挿入部の外周に被覆後、シースの挿入方向の先端（以下、単に先端と称す）に設けられた該先端を塞ぐプリズムが内視鏡における挿入部の先端部の先端面に設けられた対物レンズに対向して位置することにより、プリズムが対物レンズの光軸を曲折することによって、対物レンズよりも前方（以下、直視方向と称す）を観察する直視用の内視鏡であっても挿入部の外周にシースを被覆するのみで対物レンズよりも斜め前方（以下、斜視方向と称す）を観察できる内視鏡システムの構成が開示されている。
【０００７】
尚、シースは、硬性鏡に限定されず、軟性鏡であっても利用可能であることが周知であり、軟性鏡の挿入部に湾曲部が設けられている構成においては、プリズム付きシースは、視野方向を可変する他、湾曲部を保護するよう機能する。
【先行技術文献】
【特許文献】
【０００８】
【特許文献１】特開平７−１３０８７号公報
【発明の概要】
【発明が解決しようとする課題】
【０００９】
ところで、被検体内に直視用の内視鏡における硬質な挿入部を挿入して直視方向を観察している際、または被検体における湾曲部が湾曲できないような細径の管腔内に直視用の内視鏡における可撓性を有する挿入部を挿入して直視方向を観察している際、斜視方向に視野方向を切り換える必要が生じる場合がある。
【００１０】
この場合、従来においては、被検体内から一旦、直視用の内視鏡の挿入部を抜去し、再度、斜視用の内視鏡の挿入部を挿入しなければならず、作業者にとって大変煩雑であるといった問題があった。尚、この問題は、操作部に対して直視用の挿入部から斜視用の挿入部に付け替えることが可能な内視鏡の場合であっても同様であり、さらに、斜視用の内視鏡から直視用の内視鏡に入れ換える場合であっても同様である。
【００１１】
さらに、この問題は、特許文献１に開示された構成であっても同様であり、被検体内から一旦、直視用の内視鏡の挿入部を抜去し、直視用の内視鏡の挿入部の外周にシースを被覆した後、再度、被検体にシースとともに直視用の内視鏡の挿入部を挿入しなければならず、または、一度、被検体内からシースとともに直視用の内視鏡の挿入部を抜去した後、再度、シースを外した直視用の内視鏡の挿入部のみを挿入しなければならず大変煩雑であった。
【００１２】
また、特許文献１に開示された構成においては、プリズムがシースの先端を塞いでいることから、プリズムが挿入部における先端部の先端面に設けられた照明光出射部材、例えば照明用レンズにも対向して位置するため、対物レンズの視野方向と照明光の光軸を平行に保ったまま対物レンズの視野方向及び照明光の光軸を斜視に変換することができるが、その反面、照明用レンズから出射された照明光がプリズムにて反射され対物レンズに入光されてしまい、レンズフレアが生じてしまうといった問題があった。さらに、細径の管腔内で観察する場合、対物レンズと照明用レンズとの間隔及び、照明光の光軸から周辺に離間するほど照射光量が低下することに起因して生じる視野内の照明ムラにより、暗い部分が生じて観察がしにくいという問題もあった。
【００１３】
本発明は、上記問題点に鑑みなされたものであり、簡単な構成にて、被検体内において対物レンズの視野方向を容易に直視方向から斜視方向に切り換え可能であるとともに、照明光出射部材から出射された照明光が対物レンズに入光してしまうことを確実に防ぐことができ、視野方向を切り換えても明るい視野を確保できる内視鏡用シース、内視鏡システムを提供することを目的とする。
【課題を解決するための手段】
【００１４】
上記目的を達成するため本発明の一態様による内視鏡用シースは、被検体内に挿入される挿入部の挿入方向の先端に前記被検体内を観察する対物レンズと前記被検体内に照明光を出射する照明光出射部材とが設けられた内視鏡に対し着脱自在であって、装着後、前記挿入部の外周に回動自在に被覆されるシース本体を具備する内視鏡用シースであって、
前記シース本体の前記挿入方向の先端に設けられたプリズムは、前記シース本体が前記挿入部の外周に被覆された際、少なくとも前記対物レンズの前面を覆う大きさに形成されているとともに、前記シース本体の回動に伴い、前記対物レンズの前記前面を覆うとともに前記対物レンズの視野範囲内に位置する第１の位置と、前記対物レンズの視野範囲外に位置する第２の位置とに回動自在であり、前記プリズムは、該プリズムが前記第１の位置に回動された際、前記対物レンズの視野方向を、前記照明光出射部材から前記被検体内に出射される前記照明光の光軸側に偏向させる。
【００１５】
また、本発明の一態様による内視鏡システムは、請求項１〜６のいずれか１項に記載の前記内視鏡用シースと、前記内視鏡と、を具備する。
【発明の効果】
【００１６】
本発明によれば、簡単な構成にて、被検体内において対物レンズの視野方向を容易に直視方向から斜視方向に切り換え可能であるとともに、照明光出射部材から出射された照明光が対物レンズに入光してしまうことを確実に防ぐことができ、視野方向を切り換えても明るい視野を確保できる内視鏡用シース、内視鏡システムを提供することができる。
【図面の簡単な説明】
【００１７】
【図１】第１実施の形態の内視鏡用シースを具備する内視鏡システムの構成を概略的に示す図
【図２】図１の挿入部が外された内視鏡の操作部から内視鏡用シースを取り外した状態を概略的に示す部分分解斜視図
【図３】図２の内視鏡用シースの内視鏡固定部に設けられたカム溝に内視鏡の操作部に設けられたピンが嵌入し、ピンがカム溝内を移動する状態を概略的に示す図
【図４】図１の内視鏡用シースのシース本体の先端に設けられたプリズムが、第１の位置まで回動された状態を内視鏡の挿入部とともに示す部分斜視図
【図５】図４中のV-V線に沿ってシース本体及びプリズムのみを断面にして示す内視鏡システムの部分断面図
【図６】図４のプリズムが第２の位置まで回動された状態を内視鏡の挿入部とともに示す部分斜視図
【図７】図６中のVII-VII線に沿ってシース本体及びプリズムのみを断面にして示す内視鏡システムの部分断面図
【図８】第２実施の形態の内視鏡用シースのシース本体の先端に設けられたプリズムが、第１の位置まで回動された状態を内視鏡の挿入部とともに示す部分斜視図
【図９】図８中のIX-IX線に沿ってシース本体及びプリズム、平板レンズのみを断面にして示す内視鏡システムの部分断面図
【図１０】図８のプリズムが第２の位置まで回動された状態を内視鏡の挿入部とともに示す部分斜視図
【図１１】図１１は、図１０中のXI-XI線に沿ってシース本体及びプリズム、平板レンズのみを断面にして示す内視鏡システムの部分断面図
【図１２】図９の内視鏡の挿入部の先端面とプリズム及び平板レンズとの間に間隙が形成されてしまった変形例をシース本体、プリズム、平板レンズのみを断面にして示す内視鏡システムの部分断面図
【図１３】シース本体の先端に対し、シース本体の先端よりも前方に突出するようプリズムを固定した変形例を示す断面図
【図１４】第３実施の形態の内視鏡用シースのシース本体の先端に設けられたプリズムが、第１の位置まで回動された状態をシース本体及びプリズム、平板レンズのみを断面にして示す内視鏡システムの部分断面図
【発明を実施するための形態】
【００１８】
以下、図面を参照して本発明の実施の形態を説明する。  
（第１実施の形態）
図１は、本実施の形態の内視鏡用シースを具備する内視鏡システムの構成を概略的に示す図、図２は、図１の挿入部が外された内視鏡の操作部から内視鏡用シースを取り外した状態を概略的に示す部分分解斜視図、図３は、図２の内視鏡用シースの内視鏡固定部に設けられたカム溝に内視鏡の操作部に設けられたピンが嵌入し、ピンがカム溝内を移動する状態を概略的に示す図である。
【００１９】
また、図４は、図１の内視鏡用シースのシース本体の先端に設けられたプリズムが、第１の位置まで回動された状態を内視鏡の挿入部とともに示す部分斜視図、図５は、図４中のV-V線に沿ってシース本体及びプリズムのみを断面にして示す内視鏡システムの部分断面図である。
【００２０】
さらに、図６は、図４のプリズムが第２の位置まで回動された状態を内視鏡の挿入部とともに示す部分斜視図、図７は、図６中のVII-VII線に沿ってシース本体及びプリズムのみを断面にして示す内視鏡システムの部分断面図である。
【００２１】
尚、以下に示す本実施の形態においては、内視鏡は、操作部に対して硬質な挿入部が着脱自在に構成された内視鏡を例に挙げて説明する。
【００２２】
図１に示すように、内視鏡システム１００は、内視鏡用シース１と、内視鏡１０とを具備して主要部が構成されている。
【００２３】
内視鏡１０は、被検体内に挿入される挿入方向Ｓに沿って細長であるとともに硬質な挿入部１２と、該挿入部１２の挿入方向Ｓの基端（以下、単に基端と称す）が着脱自在な操作部１１とを具備して主要部が構成されている。
【００２４】
尚、挿入部１２の基端は、操作部１１の先端に設けられた挿入部１２よりも大径な取り付け部１１ｔに対して着脱自在となっている。また、図２に示すように、取り付け部１１ｔの外周面１１ｔｇには、該外周面１１ｔｇから起立するピン１５が設けられている。
【００２５】
また、図５、図７に示すように、挿入部１２の先端内に、被検体内を撮像する撮像ユニット１９が設けられている。撮像ユニット１９からは該撮像ユニット１９によって撮像された撮像信号を伝送する撮像ケーブル２０が延出されており、該撮像ケーブル２０は挿入部１２内に挿通され、操作部１１を介して内視鏡１０の外部装置に接続されている。
【００２６】
また、撮像ユニット１９は、被検体内を観察する対物レンズ１９ａを具備しており、該対物レンズ１９ａは、前面１９ａｓが図４〜図７に示すように、挿入部１２の先端面１２ｓに露出されるよう設けられている。尚、図４、図６においては、対物レンズ１９ａの平面形状は円形を有しているが、円形に限定されない。
【００２７】
さらに、図４〜図７に示すように、挿入部１２の先端内に、被検体内に照明光を出射する照明光出射部材である照明用レンズ１７が、該照明用レンズ１７の前面１７ｓが先端面１２ｓに露出されるよう、例えば２つ設けられている。尚、照明用レンズ１７の個数は２個に限定されない。また、図４、図６においては、照明用レンズ１７の平面形状は円形を有しているが、円形に限定されない。
【００２８】
照明用レンズ１７には、挿入部１２内に挿通されたライトガイド１８を介して、内視鏡１０外に設けられた光源装置から供給された照明光が伝達される。
【００２９】
即ち、内視鏡１０は、挿入部１２の先端面１２ｓに対物レンズ１９ａ及び照明用レンズ１７が露出された直視用の内視鏡である。尚、その他の内視鏡１０の構成は、通常の直視型の内視鏡と同じであるため、その説明は省略する。
【００３０】
また、本実施の形態においては、照明光出射部材は、ライトガイド１８によって照明光が伝達される照明用レンズ１７を例に挙げて示したが、これに限らず、ＬＥＤ等の発光素子であっても構わない。
【００３１】
図１、図２に示すように、内視鏡用シース１は、挿入部１２の外周に被覆自在なシース本体２と、該シース本体２の基端側部位にシース本体２と一体的に設けられるとともに内視鏡１０の取り付け部１１ｔの外周に対して着脱自在な内視鏡固定部３とを具備して主要部が構成されている。
【００３２】
シース本体２は、内視鏡固定部３が取り付け部１１ｔに装着後、挿入部１２の外周に対し、挿入方向Ｓの前後に移動自在かつ周方向Ｃに回動自在に被覆自在であるとともに、挿入方向Ｓに沿って細長な円筒状にフッ素ゴム、シリコンゴム等から形成されている。
【００３３】
尚、シース本体２は、ゴムの硬度を可変することにより、硬質に形成されていても柔らかく形成されていても構わない。また、シース本体２の硬度は、被覆する挿入部１２が硬質に形成されているか可撓性を有して形成されているかを問わないが、挿入部１２が既知の湾曲部を有している場合は、シース本体２を被覆した後であっても湾曲部が湾曲できるよう、シース本体２は柔らかく形成されてもよい。
【００３４】
また、シース本体２の先端は、図４、図６に示すように、シース本体２が挿入部１２の外周に被覆され内視鏡固定部３が取り付け部１１ｔに装着され固定された後、先端面１２ｓよりも所定の長さ前方に突出して位置する。
【００３５】
さらに、シース本体２の先端内には、図４〜図７に示すように、シース本体２が挿入部１２の外周に被覆され内視鏡固定部３が取り付け部１１ｔに装着され固定された後、少なくとも対物レンズ１９ａの前面１９ａｓを覆うことができる大きさ、より具体的には、対物レンズ１９ａの前面１９ａｓを覆うことができるとともに、対物レンズ１９ａの前面１９ａｓとは別に２個の照明用レンズ１７の各前面１７ｓを同時に覆うことができる大きさに形成されたプリズム３０が固定されている。
【００３６】
尚、プリズム３０は、挿入方向Ｓにおいて、挿入部１２の先端面１２ｓからシース本体２の先端までの厚みに形成されており、前面３０ｓは、光軸を偏向できるよう傾斜面に形成されている。
【００３７】
また、プリズム３０は、照明用レンズ１７が１個の場合には、１個の照明用レンズ１７の前面１７ｓを覆うことができる大きさに形成されていれば良く、３個以上設けられている場合には、３個以上、同時に各前面１７ｓを覆うことができる大きさに形成されていれば良い。よって、本実施の形態においては、複数の照明用レンズ１７の前面１７ｓを１個のプリズム３０によって覆うことができるよう、先端面１２ｓに照明用レンズ１７を複数設ける場合には、密集して設けている必要がある。
【００３８】
また、プリズム３０は、内視鏡用シース１の回動に伴い、図４、図５に示すよう、対物レンズ１９ａの前面１９ａｓのみを覆うとともに対物レンズ１９ａの視野範囲内に位置する第１の位置と、図６、図７に示すように、対物レンズ１９ａの視野範囲外、具体的には、２個の照明用レンズ１７の各前面１７ｓのみを同時に覆う第２の位置とに回動自在となっている。
【００３９】
また、プリズム３０は、シース本体２が挿入部１２の外周に被覆され内視鏡固定部３が取り付け部１１ｔに装着され固定された後、先端面１２ｓに当接するよう位置することが好ましい。
【００４０】
これは、プリズム３０が第１の位置に回動された際、プリズム３０と対物レンズ１９ａの前面１９ａｓとの間にわずかな間隙が生じていると、対物レンズ１９ａによって観察された像に、既知のニュートンリングが発生してしまう可能性があるためである。
【００４１】
尚、プリズム３０は、シース本体２が挿入部１２の外周に被覆され内視鏡固定部３が取り付け部１１ｔに装着され固定された後、シース本体２が柔らかく形成されている場合には、シース本体２の弾性力によりシース本体２が後方に押圧されることによって先端面１２ｓに密着し、シース本体２が硬質に形成されている場合には、図１に示すように、内視鏡固定部３内の後述する貫通孔３ｈａによって形成された内周面３ｎにおいて基端の段部３ｎｄに設けられたＯリング５の弾性力によりシース本体２が後方に押圧されることによって先端面１２ｓに密着する。Ｏリング５は、挿入部１２の外周面１２ｇに当接することにより、挿入部１２の外周面１２ｇとシース本体２の内周面２ｎとの間を水密気密に封止するものでもある。
【００４２】
よって、シース本体２は、該シース本体２が挿入部１２の外周に被覆され内視鏡固定部３が取り付け部１１ｔに装着され固定された後、プリズム３０が先端面１２ｓに密着する長さに挿入方向Ｓにおいて形成されている。
【００４３】
プリズム３０は、内視鏡用シース１の回動とともに、図４、図５に示す第１の位置に回動された際、図５に示すように、対物レンズ１９ａの視野方向Ｌ１を、照明用レンズ１７から被検体内へと出射される照明光の光軸側、即ち、照明光の光束Ｌ２側に偏向させるとともに、図６、図７に示す第２の位置に回動された際、図７に示すように照明用レンズ１７から被検体内へと出射される照明光の光束Ｌ２の出射方向を、対物レンズ１９ａの光軸側、即ち、対物レンズ１９ａの視野方向Ｌ１側に偏向させるものである。
【００４４】
即ち、プリズム３０は、本実施の形態においては、前面３０ｓが、図４、図５に示す第１の位置に回動された際には、図５に示すように、対物レンズ１９ａの視野方向Ｌ１を照明用レンズ１７から被検体内へと出射される照明光の光軸側、即ち、照明光の光束Ｌ２側に偏向させる傾斜面形状に形成されているとともに、図６、図７に示す第２の位置に回動された際には、図７に示すように照明用レンズ１７から被検体内へと出射される照明光の光束Ｌ２の出射方向を、対物レンズ１９ａの光軸側、即ち、対物レンズ１９ａの視野方向Ｌ１側に偏向させる傾斜面形状に形成されている。
【００４５】
尚、プリズム３０は、第１の位置に回動された際、対物レンズ１９ａの視野方向Ｌ１を、照明用レンズ１７から被検体内へと出射される照明光の光軸側に偏向させるとともに、第２の位置に回動された際、照明用レンズ１７から被検体内へと出射される照明光の光束Ｌ２の出射方向を、対物レンズ１９ａの光軸側に偏向させることができるのであれば、前面３０ｓが傾斜面に形成されていなくとも良く、上述の作用を有する既知のフレネルプリズムから構成されていても構わない。
【００４６】
内視鏡固定部３は、シース本体２よりも大径に形成されているとともに、内部にそれぞれ挿入方向Ｓに沿った貫通孔３ｈａと、該貫通孔３ｈａに連通する貫通孔３ｈｂとを有する。
【００４７】
貫通孔３ｈａによって形成された内視鏡固定部３の内周面３ｎの基端には、Ｏリング５が設けられる段部３ｎｄが形成されており、内周面３ｎにおける段部３ｎｄよりも前方部位には、シース本体２の基端側の外周面２ｇが固定されている。このことにより、シース本体２と内視鏡固定部３とは一体的に形成されており、内視鏡固定部３もシース本体２と一体的に回動自在となっている。
【００４８】
貫通孔３ｈｂには、内視鏡固定部３を取り付け部１１ｔに装着する際、取り付け部１１ｔの先端側が挿通自在となっている。
【００４９】
また、図２に示すように、内視鏡固定部３の外周面に、貫通孔３ｈｂに連通するとともに平面形状が略Ｌ字状の回動位置固定機構であるカム溝６が形成されている。
【００５０】
具体的には、カム溝６は、内視鏡固定部３の基端に開口するとともに挿入方向Ｓに沿って所定の長さを有する直行部６ａと、該直行部６ａの先端から周方向Ｃに沿って所定の長さ延出する横行部６ｂと、横行部６ｂの周方向Ｃの中途位置から挿入方向Ｓの後方に突出する第１の段部６ｃと、横行部６ｂの延出端から挿入方向Ｓの後方に突出する第２の段部６ｄとを具備して主要部が構成されている。
【００５１】
カム溝６は、図３に示すように、内視鏡１０の操作部１１の取り付け部１１ｔの外周面１１ｔｇから起立するピン１５が嵌入する溝である。
【００５２】
尚、取り付け部１１ｔに対して内視鏡固定部３を固定する際は、周方向Ｃにおいてピン１５とカム溝６の直行部６ａとを位置合わせした後、取り付け部１１ｔに対して内視鏡固定部３を後方へ移動させる、または内視鏡固定部３に対して取り付け部１１ｔを前方へ移動させると、ピン１５は、直行部６ａに嵌入され、該直行部６ａにおいて直行部６ａの先端に突き当たるまで移動する。
【００５３】
その後、取り付け部１１ｔに対して内視鏡固定部３を周方向Ｃにおける一方向へ回転させると、ピン１５は横行部６ｂに嵌入され、該横行部６ｂにおいて横行部６ｂの延出端に向け周方向Ｃに移動する。尚、内視鏡固定部３の回転に伴い、シース本体２も一方向に回転する。
【００５４】
この際、ピン１５が第１の段部６ｃに嵌入されると、プリズム３０が第１の位置において先端面１２ｓに密着し、第１の段部６ｃへのピン１５の嵌入に伴い、取り付け部１１ｔに対して内視鏡固定部３及びシース本体２は、挿入方向Ｓの位置が固定されるとともに、周方向Ｃ、即ち回動方向の位置が固定される。即ち、プリズム３０が第１の位置に位置決めされる。
【００５５】
その後、取り付け部１１ｔに対して内視鏡固定部３をさらに周方向Ｃにおける一方向へ回転させると、横行部６ｂにおいてピン１５が第１の段部６ｃから横行部６ｂの延出端に向け周方向Ｃに移動する。尚、内視鏡固定部３の回転に伴い、シース本体２もさらに一方向に回転する。
【００５６】
この際、ピン１５が第２の段部６ｄに嵌入されると、プリズム３０が第２の位置において再度、先端面１２ｓに密着し、第２の段部６ｄへのピン１５の嵌入に伴い、取り付け部１１ｔに対して内視鏡固定部３及びシース本体２は、挿入方向Ｓの位置が固定されるとともに、周方向Ｃ、即ち回動方向の位置が固定される。即ち、プリズム３０が第２の位置に位置決めされる。
【００５７】
よって、周方向Ｃにおける第１の段部６ｃと第２の段部６ｄの間隔は、プリズム３０の第１の位置から第２の位置への回動量に一致している。即ち、第１の段部６ｃと第２の段部６ｄとの間隔を変更することにより、プリズム３０の第１の位置と第２の位置との間の回動量も変更することが可能となる。これは、先端面１２ｓにおける対物レンズ１９ａ、照明用レンズ１７の配置位置によって、プリズム３０の回動量が異なるためである。
【００５８】
尚、取り付け部１１ｔから内視鏡固定部３を取り外す際は、内視鏡固定部３を一方向とは反対の他方向に回転させることにより、ピン１５が横行部６ｂにおいて第１の段部６ｃまたは第２の段部６ｄから直行部６ａの先端まで移動され、その後、内視鏡固定部３を前方に移動させる、または取り付け部１１ｔを後方に移動させると、ピン１５が直行部６ａにおいて後方に移動し、基端の開口から飛び出ることにより、取り付け部１１ｔから内視鏡固定部３が取り外される。
【００５９】
また、以上、内視鏡固定部３の取り付け部１１ｔへの固定構造を示したが、該固定構造は、上述のものに限定されないことは勿論であり、固定後、取り付け部１１ｔに対して挿入方向Ｓ及び周方向Ｃにおける内視鏡固定部３の位置が固定できる構造であればどのような構造であっても構わない。
【００６０】
次に、本実施の形態の作用について簡単に説明する。
【００６１】
先ず、内視鏡１０を用いて被検体において直視方向を観察する場合においては、内視鏡用シース１のシース本体２を内視鏡１０の挿入部１２に対して被覆した後、内視鏡固定部３を内視鏡１０の取り付け部１１ｔに対して取り付け固定する。
【００６２】
この際、内視鏡固定部３のカム溝６に対して、取り付け部１１ｔのピン１５が、直行部６ａ及び横行部６ｂを介して第２の段部６ｄに位置するよう、上述したように内視鏡固定部３を取り付け部１１ｔに対して挿入方向Ｓの後方に移動させるとともに周方向Ｃにおいて一方向に回転する。
【００６３】
その結果、プリズム３０が、第２の位置、具体的には、各照明用レンズ１７の前面１７ｓを覆う位置に位置決めされた状態で、内視鏡用シース１は、内視鏡１０に対して挿入方向Ｓ及び周方向Ｃに位置決めされる。
【００６４】
この状態において、内視鏡用シース１が固定された内視鏡１０の挿入部１２を被検体内に挿入すると、先端面１２ｓに設けられた対物レンズ１９ａにより、対物レンズ１９ａにおける直視方向の被検体内の被検部位が観察される。
【００６５】
尚、この際、プリズム３０は、第２の位置に位置決めされていることから、照明用レンズ１７から被検体内へと出射される照明光の光束Ｌ２の出射方向を、対物レンズ１９ａの光軸側に偏向させることができるため、仮に照明用レンズ１７の光束Ｌ２の出射範囲が狭かったとしても、確実に光束Ｌ２の光軸を対物レンズ１９ａの視野方向Ｌ１に向けることができ、対物レンズ１９ａの明るい視野を確実に確保することができる。また、細径の管腔内で観察する場合、内視鏡１０の対物レンズ１９ａと照明用レンズ１７との間隔が比較的大きいとしても、本来であればこの間隔に起因して生じる視野内の照明ムラが、光束Ｌ２の光軸を対物レンズ１９ａの視野方向Ｌ１に向けることにより照明ムラが生じず、明るい視野を確実に確保することができる。
【００６６】
次に、被検体内において斜視方向を観察する際は、ピン１５が横行部６ｂにおいて第２の段部６ｄから第１の段部６ｃまで移動するよう、被検体内において、取り付け部１１ｔに対して内視鏡固定部３を他方向に回転させる。
【００６７】
その結果、プリズム３０が、第１の位置、具体的には、対物レンズ１９ａの前面１９ａｓを覆う位置に位置決めされた状態で、内視鏡用シース１は、内視鏡１０に対して挿入方向Ｓ及び周方向Ｃに位置決めされる。
【００６８】
尚、この際、プリズム３０は、第１の位置に位置決めされていることから、仮に対物レンズ１９ａの視野角が狭かったとしても、対物レンズ１９ａの視野方向Ｌ１を、照明用レンズ１７から被検体内へと出射される照明光の光軸側に偏向させることができることから、対物レンズ１９ａの観察方向を確実に直視方向から斜視方向に変換することができるとともに、対物レンズ１９ａの明るい視野を確実に確保することができる。また、細径の管腔内で観察する場合、内視鏡１０の対物レンズ１９ａと照明用レンズ１７との間隔が比較的大きいとしても、本来であればこの間隔に起因して生じる視野内の照明ムラが、対物レンズ１９ａの視野方向Ｌ１を光束Ｌ２の光軸に向けることにより照明ムラが生じず、明るい視野を確実に確保することができる。
【００６９】
このように本実施の形態においては、内視鏡用シース１のシース本体２の先端内に固定されたプリズム３０は、内視鏡１０に対して内視鏡用シース１を回動させるのみで、対物レンズ１９ａの前面１９ａｓを覆う第１の位置と、各照明用レンズ１７の前面１７ｓを覆う第２の位置とに回動自在であると示した。
【００７０】
また、プリズム３０は第１の位置まで回動された際、対物レンズ１９ａの視野方向Ｌ１を、照明用レンズ１７から被検体内へと出射される照明光の光軸側に偏向させるとともに、第２の位置まで回動された際、照明用レンズ１７から被検体内へと出射される照明光の光束Ｌ２の出射方向を、対物レンズ１９ａの光軸側に偏向させると示した。
【００７１】
このことによれば、内視鏡用シース１を内視鏡１０に対して回動させるのみで、プリズム３０を対物レンズ１９ａの視野範囲内と、視野範囲外との間において移動させることができるため、対物レンズ１９ａの視野方向を、被検体内から挿入部１２及びシース本体２を抜去することなく、直視方向と斜視方向とに容易に切り換えることができる。
【００７２】
また、プリズム３０は第２の位置まで回動された際、照明用レンズ１７から被検体内へと出射される照明光の光束Ｌ２の出射方向を、対物レンズ１９ａの光軸側に偏向させることができるため、確実に光束Ｌ２の光軸を対物レンズ１９ａの視野方向Ｌ１に向けることができ、対物レンズ１９ａの均一な明るい視野を確実に確保することができる。
【００７３】
さらに、第２の位置においては、プリズム３０は、対物レンズ１９ａの前面１９ａｓを覆っていないことから、照明用レンズ１７から出射された照明光が、プリズム３０によって反射され、対物レンズ１９ａに入光してしまうことがない。
【００７４】
また、プリズム３０は第１の位置まで回動された際、対物レンズ１９ａの視野方向Ｌ１を、照明用レンズ１７から被検体内へと出射される照明光の光軸側に偏向させることができることから、対物レンズ１９ａの観察方向を確実に直視方向から斜視方向に変換することができるとともに、対物レンズ１９ａの明るい視野を確実に確保することができる。
【００７５】
さらに、第１の位置においては、プリズム３０は、各照明用レンズ１７の前面１７ｓを覆っていないことから、照明用レンズ１７から出射された照明光が、プリズム３０によって反射され、対物レンズ１９ａに入光してしまうことがない。
【００７６】
以上から、簡単な構成にて、被検体内において対物レンズ１９ａの視野方向を容易に直視方向から斜視方向に切り換え可能であるとともに、照明用レンズ１７から出射された照明光が対物レンズ１９ａに入光してしまうことを確実に防ぐことができ、視野方向を切り換えても明るい視野を確保できる内視鏡用シース１、内視鏡システム１００を提供することができる。
【００７７】
（第２実施の形態）
図８は、本実施の形態の内視鏡用シースのシース本体の先端に設けられたプリズムが、第１の位置まで回動された状態を内視鏡の挿入部とともに示す部分斜視図、図９は、図８中のIX-IX線に沿ってシース本体及びプリズム、平板レンズのみを断面にして示す内視鏡システムの部分断面図である。
【００７８】
さらに、図１０は、図８のプリズムが第２の位置まで回動された状態を内視鏡の挿入部とともに示す部分斜視図、図１１は、図１０中のXI-XI線に沿ってシース本体及びプリズム、平板レンズのみを断面にして示す内視鏡システムの部分断面図である。
【００７９】
この第２実施の形態の内視鏡用シースの構成は、上述した図１〜図７に示した第１実施の形態の内視鏡用シースと比して、シース本体の先端を、プリズムとともに平板レンズで塞ぐ構成を有している点が異なる。よって、この相違点のみを説明し、第１実施の形態と同様の構成には同じ符号を付し、その説明は省略する。
【００８０】
尚、以下に示す本実施の形態においても、内視鏡は、操作部に対して硬質な挿入部が着脱自在に構成された内視鏡を例に挙げて説明する。
【００８１】
図８〜図１１に示すように、本実施の形態においては、シース本体２の先端は、プリズム３０とともに、プリズム３０に連設された平板レンズ３１によって塞がれた構成を有している。
【００８２】
平板レンズ３１は、対物レンズ１９ａの光軸及び照明用レンズ１７から出射される照明光の光軸を偏向することなく通過させる通常の平板レンズであり、基端面が先端面１２ｓに当接した状態において、挿入方向Ｓにおいて、先端面３１ｓがシース本体２の先端と面一致となる厚みに形成されている。
【００８３】
よって、図８、図９に示すように、内視鏡用シース１の回動に伴い、プリズム３０が対物レンズ１９ａの前面１９ａｓを覆う第１の位置まで回動された際は、平板レンズ３１は、先端面１２ｓにおいて、プリズム３０によって覆われた領域以外を全て覆っている。よって、平板レンズ３１は、照明用レンズ１７の前面１７ｓを覆うことから、照明用レンズ１７から出射された照明光は、平板レンズ３１を通過して被検体内に照明される。
【００８４】
この際、照明用レンズ１７から出射された照明光が平板レンズ３１において反射され、対物レンズ１９ａに入光されてしまう可能性があることから、図８、図９に示すように、プリズム３０と平板レンズ３１との間には遮光部材３２が設けられている。
【００８５】
尚、本実施の形態においても、プリズム３０は第１の位置まで回動された際、対物レンズ１９ａの視野方向Ｌ１を、照明用レンズ１７から平板レンズ３１を介して被検体内へと出射される照明光の光軸側に偏向させる。
【００８６】
また、図１０、図１１に示すように、内視鏡用シース１の回動に伴い、プリズム３０が各照明用レンズ１７の前面１７ｓを覆う第２の位置まで回動された際は、平板レンズ３１は、先端面１２ｓにおいて、プリズム３０によって覆われた領域以外を全て覆っている。よって、平板レンズ３１は、対物レンズ１９ａの前面１９ａｓを覆うことから、被検体の像は、平板レンズ３１を通過して対物レンズ１９ａに入光される。
【００８７】
この際、照明用レンズ１７から出射された照明光がプリズム３０において反射され、対物レンズ１９ａに入光されてしまうことが、遮光部材３２によって防がれている。
【００８８】
尚、本実施の形態においても、プリズム３０は、第２の位置まで回動された際、照明用レンズ１７から被検体内へと出射される照明光の光束Ｌ２の出射方向を、対物レンズ１９ａの光軸側に偏向させる。
【００８９】
また、その他の構成及び作用は、上述した第１実施の形態と同様である。
【００９０】
このように、シース本体２の先端がプリズム３０とともに平板レンズ３１によって塞がれた構成においても、上述した本実施の形態と同様の効果を得ることができる。
【００９１】
尚、以下、変形例を、図１２を用いて示す。図１２は、図９の内視鏡の挿入部の先端面とプリズム及び平板レンズとの間に間隙が形成されてしまった変形例をシース本体、プリズム、平板レンズのみを断面にして示す内視鏡システムの部分断面図である。
【００９２】
上述した第１及び第２実施の形態においては、プリズム３０、またはプリズム３０及び平板レンズ３１は、先端面１２ｓに当接すると示した。
【００９３】
しかしながら、プリズム３０、またはプリズム及び平板レンズ３１の傾きや、挿入部１２に対するシース本体２の傾き等により、先端面１２ｓとプリズム３０、またはプリズム及び平板レンズ３１との間に、図１２に示すようにわずかな間隙４０が生じてしまう場合があり、間隙４０により、対物レンズ１９ａによって観察された像に、上述した既知のニュートンリングが発生してしまう可能性があった。さらに、間隙４０により、対物レンズ１９ａや照明用レンズ１７に曇りが発生してしまう可能性があった。
【００９４】
そこで、図１２に示すように、間隙４０に対し、挿入部１２の外周面１２ｇとシース本体２の内周面２ｎとの間に形成された間隙からなる液体供給路４１及び該液体供給路４１に連通する図２に示す内視鏡固定部３に設けられた注入口８を介して、内視鏡１０外から液体４４が注入されていても構わない。尚、注入口８は、シース本体２に設けられていても構わない。
【００９５】
また、液体４４としては、生体適合性を有するとともに、光透過性を有し透明な液体、例えば蒸留水や生理食塩水が挙げられる。また、シース本体２の先端は、プリズム３０及び平板レンズ３１によって塞がれていることから、シース本体２の先端から液体４４が漏れてしまうことが無い。
【００９６】
このような構成によれば、間隙４０に液体４４が注入されていることから、液体４４が間隙４０における光の乱反射を防ぐとともに対物レンズ１９ａや照明用レンズ１７の曇りを防ぐことができる。
【００９７】
また、内視鏡１０に内視鏡用シース１を装着した後、間隙４０に液体４４を注入するのではなく、シース本体２に液体４４を注入した後、シース本体２を挿入部１２の外周に被覆しても、図１２と同様の効果を得ることができる。
【００９８】
尚、その他の効果は、上述した本実施の形態と同じである。
【００９９】
尚、以下、別の変形例を、図１３を用いて示す。図１３は、シース本体の先端に対し、シース本体の先端よりも前方に突出するようプリズムを固定した変形例を示す断面図である。
【０１００】
上述した第１及び第２実施の形態においては、プリズム３０は、前面３０ｓがシース本体２の先端よりも後方に位置するようシース本体２内に設けられていると示した。
【０１０１】
これに限らず、図１３に示すように、シース本体２の先端に対して、該先端から前方に突出するようプリズム３０が固定されていても構わない。
【０１０２】
具体的には、シース本体２の先端に形成された段部２ｄに、プリズム３０の基端面から後方に延出する段部３０ｄを係合固定することにより、シース本体２の先端に前方に突出するようプリズム３０が固定されていても構わない。また、このような構成においては、シース本体２の先端に対して、プリズム３０を着脱自在としても構わない。尚、以上の構成は、平板レンズ３１であっても同様である。
【０１０３】
（第３実施の形態）
図１４は、本実施の形態の内視鏡用シースのシース本体の先端に設けられたプリズムが、第１の位置まで回動された状態をシース本体及びプリズム、平板レンズのみを断面にして示す内視鏡システムの部分断面図である。
【０１０４】
この第３実施の形態の内視鏡用シースの構成は、上述した図８〜図１１に示した第２実施の形態の内視鏡用シースと比して、シース本体の先端において、平板レンズの先端面とプリズムの先端面とが面一致しているとともに、プリズムの基端面に傾斜面が形成されている点が異なる。よって、この相違点のみを説明し、第２実施の形態と同様の構成には同じ符号を付し、その説明は省略する。
【０１０５】
図１４に示すように、本実施の形態においては、平板レンズ３１は、上述した第２実施の形態と同様に、シース本体２の先端において、先端面３１ｓと面一致となる厚みに形成されているが、プリズム３０’も先端面３０ｓ’が、シース本体２の先端及び先端面３１ｓと面一致となる厚みに形成されている。
【０１０６】
さらに、本実施の形態においては、プリズム３０’の基端面３０ｋ’は、光軸を偏向できるよう傾斜面に形成されている。
【０１０７】
具体的には、基端面３０ｋ’は、上述した第１及び第２実施の形態と同様に、図１４に示すように、プリズム３０’が第１の位置に回動された際には、対物レンズ１９ａの視野方向を照明光の光束側に偏向させる傾斜面形状に形成されているとともに、プリズム３０’が照明用レンズ１７を覆う図示しない第２の位置に回動された際には、照明用レンズ１７から被検体内へと出射される照明光の光束の出射方向を、対物レンズ１９ａの視野方向側に偏向させる傾斜面形状に形成されている。
【０１０８】
尚、その他の構成は、上述した第２実施の形態と同じである。
【０１０９】
このような構成によれば、プリズム３０’の先端面３０ｓ’は、シース本体２の先端及び平板レンズ３１の先端面３１ｓと略同一面となっていることから、シース本体２の先端に段差が生じなくなるため、シース本体２をトロッカー等に挿入する際、シース本体２の先端が引っ掛かり難くなるため、シース本体２の挿入性が向上する。
【０１１０】
尚、その他の効果は、上述した第２実施の形態と同じである。
【０１１１】
また、上述した第１〜第３実施の形態においては、内視鏡は、操作部に対して硬質な挿入部が着脱自在に構成された内視鏡を例に挙げて説明したが、これに限らず、可撓性を有する挿入部を具備する内視鏡や、操作部と挿入部とが一体的な内視鏡や、挿入部に湾曲部を有する内視鏡等、挿入部の先端面に、対物レンズと照明用レンズとが設けられた内視鏡であれば、どのような内視鏡であっても適用可能である。
【符号の説明】
【０１１２】
１…内視鏡用シース
２…シース本体
３…内視鏡固定部
６…カム溝（回動位置固定機構）
１０…内視鏡
１１…操作部
１２…挿入部
１７…照明用レンズ（照明光出射部材）
１７ｓ…照明用レンズの前面
１９ａ…対物レンズ
１９ａｓ…対物レンズの前面
３０…プリズム
３０’…プリズム
３１…平板レンズ
３２…遮光部材
４１…液体供給路
１００…内視鏡システム
Ｓ…挿入方向
【図１】
2014068676.tif 000003
【図２】
2014068676.tif 000004
【図３】
2014068676.tif 000005
【図４】
2014068676.tif 000006
【図５】
2014068676.tif 000007
【図６】
2014068676.tif 000008
【図７】
2014068676.tif 000009
【図８】
2014068676.tif 000010
【図９】
2014068676.tif 000011
【図１０】
2014068676.tif 000012
【図１１】
2014068676.tif 000013
【図１２】
2014068676.tif 000014
【図１３】
2014068676.tif 000015
【図１４】
2014068676.tif 000016